(57)【特許請求の範囲】
【請求項１】
出入口を横切るようにしてスライド可能な引き戸の戸先側端部に、その引き戸のスライド操作用のハンドルと、引き戸を閉鎖位置において施錠する引き戸錠とを設け、その引き戸錠を解錠し、前記ハンドルを引く操作によって引き戸を開放させるようにしたスライド式門扉において、
前記ハンドルにグリッパを揺動可能に設け、そのグリッパの握り締めによる揺動に連動して前記引き戸錠を解錠させる解錠連動機構を設け、
前記引き戸錠が、前記引き戸の戸先側端面に埋設される錠ケースと、その錠ケース内に組み込まれ、引き戸を閉鎖位置に停止保持する戸当たり支柱に設けられた係合孔に対して係合可能な鈎片を先端部に有する揺動可能な鎌状ボルトと、前記錠ケースのフロントプレートに形成されたトリガー挿入孔に対して先端部が出没自在とされ、前記戸当たり支柱に対する当接によって錠ケース内に押し込まれた際に、鎌状ボルトの後端部を押圧して、その鎌状ボルトを施錠位置に向けて揺動させるボルト操作用のトリガー部材と、そのトリガー部材を突出方向に向けて付勢する弾性部材と、前記錠ケース内に組み込まれ、鎌状ボルトの外周一部に形成された係合段部に対する係合によって、その鎌状ボルトを施錠位置でロックする揺動可能なロックレバーと、そのロックレバーを鎌状ボルトに向けて付勢するロックばねとを有してなり、
前記解錠連動機構が、前記ロックレバーの揺動中心軸上に設けられて、そのロックレバーと一体的に回転する解除レバーと、前記グリッパの揺動に連動してグリッパの揺動方向と相反する方向に揺動するＬ形のカム片と、そのカム片の揺動に連動して昇降動するスライド部材と、そのスライド部材と共に昇降動し、上昇時に前記解除レバーの揺動側端部を押し上げて、前記ロックレバーをロック解除位置に向けて揺動させる突き上げロッドからなることを特徴とするスライド式門扉。
【請求項２】
出入口を横切るようにしてスライド可能な引き戸の戸先側端部に、その引き戸のスライド操作用のハンドルと、引き戸を閉鎖位置において施錠する引き戸錠とを設け、その引き戸錠を解錠し、前記ハンドルを引く操作によって引き戸を開放させるようにしたスライド式門扉において、
前記ハンドルにグリッパを揺動可能に設け、そのグリッパの握り締めによる揺動に連動して前記引き戸錠を解錠させる解錠連動機構を設け、
前記引き戸錠が、前記引き戸の戸先側端面に埋設される錠ケースと、その錠ケース内に組み込まれ、引き戸を閉鎖位置に停止保持する戸当たり支柱に設けられた係合孔に対して係合可能な鈎片を先端部に有する揺動可能な鎌状ボルトと、前記錠ケースのフロントプレートに形成されたトリガー挿入孔に対して先端部が出没自在とされ、前記戸当たり支柱に対する当接によって錠ケース内に押し込まれた際に、鎌状ボルトの後端部を押圧して、その鎌状ボルトを施錠位置に向けて揺動させるボルト操作用のトリガー部材と、そのトリガー部材を突出方向に向けて付勢する弾性部材と、前記錠ケース内に組み込まれ、鎌状ボルトの外周一部に形成された係合段部に対する係合によって、その鎌状ボルトを施錠位置でロックする揺動可能なロックレバーと、そのロックレバーを鎌状ボルトに向けて付勢するロックばねとを有してなり、
前記解錠連動機構が、前記ロックレバーの揺動中心軸上に設けられて、ロックレバーと一体的に回転する解除レバーと、前記グリッパの揺動に連動してグリッパの揺動方向と相反する方向に揺動するＬ形のカム片と、前記引き戸の戸先側端面に埋設されたユニットケースと、そのユニットケース内に組み込まれ、前記カム片の揺動に連動して昇降動するスライド部材と、そのスライド部材によって下端部が上下方向にスライド自在に支持され、ユニットケースの上方に位置する上端が前記解除レバーの揺動側端部の下面に対向し、前記ユニットケース内に位置する下端部に設けられた抜止め突部の引き上げにより上昇して、前記ロックレバーをロック解除位置に向けて押し上げ揺動させる突き上げロッドと、前記スライド部材により水平方向にスライド自在に支持されて、ユニットケースのフロントプレートに形成されたトリガー挿入孔に対して先端部が出没自在とされ、前記戸当たり支柱に対する当接によってユニットケース内に没入した際に後端部が前記抜止め突部の下面と対向し、突出時には前記後端部が抜止め突部の下面から退避するロッド昇降用のトリガー部材と、そのトリガー部材を突出方向に向けて付勢するばねとからなることを特徴とするスライド式門扉。
【請求項３】
前記ロッド昇降用トリガー部材を、その長さ方向で分割して前部トリガー部材と後部トリガー部材を設け、その前部トリガー部材と後部トリガー部材を伸縮自在に連結し、その連結部間に前部トリガー部材と後部トリガー部材を伸長する方向に付勢するトリガーばねを組込み、前記後部トリガー部材の後端部に前記抜止め突部を支持する回転可能なローラを設けた請求項２に記載のスライド式門扉。
【請求項４】
前記引き戸が、出入口を横切るようにして敷設したレールに沿って転動可能な複数の車輪を下部に有し、前記車輪を支持する回転可能な車輪軸に対して制動力を付与する制動装置と、その制動装置を制動状態と制動解除状態とに選択的に切り換える制動解除機構とを設け、前記グリッパの揺動に連動して前記制動解除機構を作動させる連動機構を設けた請求項１乃至３のいずれかの項に記載のスライド式門扉。
【請求項５】
前記制動装置が、前記車輪軸に固定されたブレーキロータと、前記車輪軸に嵌合されて、前記ブレーキロータに向けてスライド可能なパッドホルダと、そのパッドホルダのブレーキロータに対する対向面に保持されたブレーキパッドと、前記パッドホルダをブレーキロータに向けて付勢するスプリングとからなり、
前記制動解除機構が、前記パッドホルダの端面に向けて移動自在に支持され、そのパッドホルダの端面に形成された凹部に対する先端部の係合によってパッドホルダを回り止めする回り止めピンと、その回り止めピンをパッドホルダに向けて付勢するスプリングとからなり、
前記連動機構が、アウタチューブ内に挿通されたインナワイヤの一端部を前記スライド部材に相対的な移動を可能とする遊びをもって連結し、そのインナワイヤの他端部を前記回り止めピンに連結した構成からなる請求項４に記載のスライド式門扉。
【発明の詳細な説明】
【技術分野】
【０００１】
この発明は、学校や工場等のように、間口の比較的広い出入口等をスライド可能な引き戸によって開閉するようにしたスライド式門扉に関する。
【背景技術】
【０００２】
出入口の床面にレールを敷設し、そのレールに沿って転動可能な複数のローラを下部に有するスライド可能な引き戸、あるいはレールを設けることなく吊元支柱に吊持したスライド可能な引き戸により出入口を開閉するようにしたスライド式門扉においては、引き戸の戸先側に内側ハンドルおよび外側ハンドルを設け、そのハンドルを引く操作によって引き戸を開閉するようにしている。
【０００３】
また、引き戸の戸先側端部に引き戸錠を取付け、出入口の一側部に起立させた戸当たり支柱に戸先側端面を当接させた引き戸の閉鎖状態で、その引き戸錠を施錠して引き戸を閉鎖位置で保持し、安全性を確保することが行われている。
【０００４】
上記のようなスライド式門扉の引き戸は非常に重く、スライド移動時の慣性力が極めて大きいために、制動に大きな操作力を必要とし、急激に閉鎖されると、戸当たり支柱に衝撃的に当接して、故障の原因となる可能性があった。
【０００５】
レール上を転動する車輪を有する引き戸においては、支柱との衝突による不都合の発生を防止するため、引き戸の下部に制動装置を設け、その制動装置によって引き戸の下部に設けられた車輪の車輪軸に制動力を付与して、慣性力の低減を図るようにしたスライド式門扉も提供されている。
【０００６】
ここで、制動装置を有するスライド式門扉においては、引き戸の移動初期に大きな操作力を必要とするため、その移動初期に制動装置の制動および解除の切換え機構を設け、引き戸の開閉による移動初期に、その切換え機構の操作により制動装置の制動を解除して、軽い力で引き戸を移動させることができるようにし、引き戸を一旦移動させると、制動装置を作動状態に切り換えて慣性力の低減を図り、安全性を確保することが行なわれている。
【発明の概要】
【発明が解決しようとする課題】
【０００７】
ところで、従来から知られているスライド式門扉においては、引き戸錠を施解錠する操作と、引き戸のハンドルを引いて引き戸を移動させる操作とを別々に行って引き戸を開閉するようにしているため、操作が煩わしく、その操作性を向上させる上において改善すべき点が残されていた。
【０００８】
また、制動装置を有するスライド式門扉においても、その制動装置の制動および解除の切換え操作を別に行うようにしているため、操作がさらに煩わしくなり、その点においても改善すべき点が残されていた。
【０００９】
この発明の課題は、スライド式門扉の操作性の向上を図ることである。
【課題を解決するための手段】
【００１０】
上記の課題を解決するために、この発明においては、出入口を横切るようにしてスライド可能な引き戸の戸先側端部に、その引き戸のスライド操作用のハンドルと、引き戸を閉鎖位置において施錠する引き戸錠とを設け、その引き戸錠を解錠し、前記ハンドルを引く操作によって引き戸を開放させるようにしたスライド式門扉において、前記ハンドルにグリッパを揺動可能に設け、そのグリッパの握り締めによる揺動に連動して前記引き戸錠を解錠させる解錠連動機構を設けた構成を採用したのである。
【００１１】
上記の構成からなるスライド式門扉において、引き戸の開放に際しては、ハンドルとグリッパを共に握り締めてハンドルを引くようにする。
【００１２】
ここで、ハンドルと共にグリッパを握り締めると、グリッパが揺動し、解錠連動機構が引き戸錠を解錠させることになる。このため、グリッパの握る状態でハンドルを引くことにより、引き戸錠の解錠操作と、引き戸の開放操作の一連の操作を連続して行うことができ、引き戸を簡単に開放させることができる。
【００１３】
この発明に係るスライド式門扉において、引き戸錠として、引き戸の戸先側端面に埋設される錠ケースと、その錠ケース内に組み込まれ、引き戸を閉鎖位置に停止保持する戸当たり支柱に設けられた係合孔に対して係合可能な鈎片を先端部に有する揺動可能な鎌状ボルトと、上記錠ケースのフロントプレートに形成されたトリガー挿入孔に対して先端部が出没自在とされ、上記戸当たり支柱に対する当接によって錠ケース内に押し込まれた際に、鎌状ボルトの後端部を押圧して、その鎌状ボルトを施錠位置に向けて揺動させるボルト操作用のトリガー部材と、そのトリガー部材を突出方向に向けて付勢する弾性部材と、上記錠ケース内に組み込まれ、鎌状ボルトの外周一部に形成された係合段部に対する係合によって、その鎌状ボルトを施錠位置でロックする揺動可能なロックレバーと、そのロックレバーを鎌状ボルトに向けて付勢するロックばねとを有してなるものを採用することができる。
【００１４】
上記のような引き戸錠の採用において、解錠連動機構として、ロックレバーの揺動中心軸上に設けられて、そのロックレバーと一体的に回転する解除レバーと、前記グリッパの揺動に連動してグリッパの揺動方向と相反する方向に揺動するＬ形のカム片と、そのカム片の揺動に連動して昇降動するスライド部材と、そのスライド部材と共に昇降動し、上昇時に前記解除レバーの揺動側端部を押し上げて、前記ロックレバーをロック解除位置に向けて揺動させる突き上げロッドからなるものを採用することができる。
【００１５】
また、解錠連動機構として、ロックレバーの揺動中心軸上に設けられて、ロックレバーと一体的に回転する解除レバーと、前記グリッパの揺動に連動してグリッパの揺動方向と相反する方向に揺動するＬ形のカム片と、前記引き戸の戸先側端面に埋設されたユニットケースと、そのユニットケース内に組み込まれ、前記カム片の揺動に連動して昇降動するスライド部材と、そのスライド部材によって下端部が上下方向にスライド自在に支持され、ユニットケースの上方に位置する上端が前記解除レバーの揺動側端部の下面に対向し、前記ユニットケース内に位置する下端部に設けられた抜止め突部の引き上げにより上昇して、前記ロックレバーをロック解除位置に向けて押し上げ揺動させる突き上げロッドと、前記スライド部材により水平方向にスライド自在に支持されて、ユニットケースのフロントプレートに形成されたトリガー挿入孔に対して先端部が出没自在とされ、前記戸当たり支柱に対する当接によってユニットケース内に没入した際に後端部が前記抜止め突部の下面と対向し、突出時には前記後端部が抜止め突部の下面から退避するロッド昇降用のトリガー部材と、そのトリガー部材を突出方向に向けて付勢するばねとからなるものを採用することができる。
【００１６】
上記のような引き戸錠および解錠連動機構の採用において、ロッド昇降用のトリガー部材が戸当たり支柱に対する当接により押し込まれると、トリガー部材の後端部が抜止め突部の下面と上下で対向する。そして、グリッパを握ることにより、スライド部材が上昇し、そのスライド部材と共に上昇するトリガー部材の後端部で抜止め突部が押し上げられ、突き上げロッドが上昇して引き戸錠の鎌状ボルトが解錠する。
【００１７】
上記のような引き戸錠の解錠において、引き戸を開放すると、ばねの押圧により、ロッド昇降用のトリガー部材が突出して、後端部が抜止め突部から退避し、突き上げロッドの押し上げを解除する。その解除により、突き上げロッドが自重で下降するため、引き戸の開放後、グリッパを握った状態で引き戸が直ちに閉鎖された場合でも引き戸錠を確実に施錠状態とすることができる。
【００１８】
ここで、ロッド昇降用トリガー部材を、その長さ方向で分割して前部トリガー部材と後部トリガー部材を設け、その前部トリガー部材と後部トリガー部材を伸縮自在に連結し、その連結部間に前部トリガー部材と後部トリガー部材を伸長する方向に付勢するトリガーばねを組込んでおくと、引き戸の開放後、グリッパを握った状態で引き戸が直ちに閉鎖された場合、トリガー部材は戸当たり支柱に対する当接により押し込められることになる。このとき、後部トリガー部材は抜止め突部に当接して停止状態とされ、前部トリガー部材のみが押し込まれることになってトリガー部材が収縮するため、トリガー部材の衝撃的な衝突を避けることができ、トリガー部材や抜止め突部、突き上げロッド等の各種の部品の損傷防止に効果を挙げることができる。
【００１９】
後部トリガー部材の後端部に抜止め突部を支持する回転可能なローラを設けておくと、トリガー部材の移動抵抗の低減を図り、トリガー部材の後端部が抜止め突部の下面から退避する位置までトリガー部材を円滑に移動させることができる。
【００２０】
ここで、引き戸が、出入口を横切るようにして敷設したレールに沿って転動可能な複数の車輪を下部に有し、前記車輪を支持する回転可能な車輪軸に対して制動力を付与する制動装置と、その制動装置を制動状態と制動解除状態とに選択的に切り換える制動解除機構とを設け、前記グリッパの揺動に連動して前記制動解除機構を作動させる連動機構を設けておくと、ハンドルと共にグリッパを握る操作により、引き戸錠の解錠と制動装置の制動を解除する操作を連続して行うことができるため、制動装置を有するスライド式門扉の操作性をより高めることができる。
【００２１】
上記車輪軸に制動力を付与する制動装置として、車輪軸に固定されたブレーキロータと、上記車輪軸に嵌合されて、上記ブレーキロータに向けてスライド可能なパッドホルダと、そのパッドホルダのブレーキロータに対する対向面に保持されたブレーキパッドと、上記パッドホルダをブレーキロータに向けて付勢するスプリングとからなるものを採用することができる。
【００２２】
そのような制動装置の採用において、制動解除機構として、パッドホルダの端面に向けて移動自在に支持され、そのパッドホルダの端面に形成された凹部に対する先端部の係合によってパッドホルダを回り止めする回り止めピンと、その回り止めピンをパッドホルダに向けて付勢するスプリングとからなるものを採用することができる。
【００２３】
また、連動機構として、アウタチューブ内に挿通されたインナワイヤの一端部を前記スライド部材に対して相対的な移動を可能とする遊びをもって連結し、そのインナワイヤの他端部を前記回り止めピンに連結した構成からなるものを採用することにより、回り止めピンが凹部に係合せず、パッドホルダの端面に乗り上げた場合でも、グリッパの握り解除によってスライド部材を確実に下降させることができ、引き戸錠の施錠および解錠を確実に行わせることができる。
【発明の効果】
【００２４】
この発明においては、ハンドルにグリッパを揺動可能に設け、そのグリッパの握り締めによる揺動に連動して引き戸錠を解錠させる解錠連動機構を設けたことによって、引き戸錠を解錠する操作と、引き戸を開放する操作の一連の操作を連続して行うことができるため、スライド式門扉の操作性の向上を図ることができる。
【図面の簡単な説明】
【００２５】
【図１】この発明に係るスライド式門扉の正面図
【図２】図１の平面図
【図３】図１に示す引き戸の戸先側端部の一部分を拡大して示す正面図
【図４】図３のIV−IV線に沿った断面図
【図５】図３のV−V線に沿った断面図
【図６】図５のVI−VI線に沿った断面図
【図７】図６に示すスライド部材が上昇した状態を示す縦断面図
【図８】図７に示す突き上げロッドが下降した状態を示す縦断面図
【図９】図３に示す引き戸錠の縦断面図
【図１０】引き戸錠の解錠状態を示す断面図
【図１１】図２のXI-XI線に沿った断面図
【図１２】図１１の一部分を拡大して示す断面図
【図１３】図１２のXIII−XIII線に沿った断面図
【発明を実施するための形態】
【００２６】
以下、この発明の実施の形態を図面に基づいて説明する。図１および図２に示すように、塀１に形成された出入口２の床面には、出入口２を横切るようにして平行２条のレール３が敷設され、そのレール３上に出入口２を開閉する引き戸４が設けられている。
【００２７】
ここで、引き戸４は、長さ方向に２分割され、その分割引き戸４ａ、４ｂは、図１１に示すように、一方の分割引き戸４ａの内側面に設けられた案内レール５と、他方の分割引き戸４ｂの外面側に設けられて上記案内レール５に沿って転動可能なローラ６とによって長さ方向に相対的に移動自在とされているが、１枚からなる単一の大きさのものであってもよい。
【００２８】
引き戸４の下部には、平行２条のレール３間にわたる長さの複数の座板７が長さ方向に間隔をおいて設けられ、それぞれの座板７における下面の両端部に対向一対の軸受８が取付けられ、その一対の軸受８によって回転自在に支持された車輪軸９の両端部に平行２条のレール３に沿って転動可能な車輪１０が設けられており、上記引き戸４が平行２条のレール３に沿って移動自在とされている。
【００２９】
図１および図２に示すように、出入口２の一側部には戸当たり支柱１１が設けられ、その戸当たり支柱１１に対する引き戸４の戸先側端面の当接によって引き戸４は閉鎖位置に停止保持される。
【００３０】
図３および図４に示すように、引き戸４の戸先側端部には、スライド操作用の外側ハンドル１２ａおよび内側ハンドル１２ｂが取付けられている。図４および図５に示すように、ハンドル１２ａ、１２ｂのそれぞれは、コの字状をなし、その両端部が上下に位置するようにして引き戸４に取付けられ、上記引き戸４との間に指先挿入部１３が形成されている。
【００３１】
また、ハンドル１２ａ、１２ｂのそれぞれには、指先挿入部１３において開口するグリッパ収容溝１４が形成され、そのグリッパ収容溝１４のそれぞれ内部に組み込まれたグリッパ１５は、ハンドル１２ａ、１２ｂの上端部で支持されたピン１６を中心に揺動自在に支持されて、内側部が指先挿入部１３に露出し、ハンドル１２ａ、１２ｂを握ることにより同時に握り締められてピン１６を中心に揺動するようになっている。
【００３２】
図３に示すように、引き戸４の戸先側端部には、上記ハンドル１２ａ、１２ｂの取付位置よりも上側の位置に、引き戸４を閉鎖位置において施錠する引き戸錠２０が設けられている。
【００３３】
図９および図１０に示すように、引き戸錠２０は、引き戸４の戸先側端面に埋設される錠ケース２１と、その錠ケース２１の対向する側板によって両端部が支持された支点軸２２を中心にして揺動可能な鎌状ボルト２３と、その鎌状ボルト２３の上側に配置されて先端部が錠ケース２１のフロントプレート２１ａに形成されたトリガー挿入孔２４に対して出没自在とされ、後端部に鎌状ボルト２３の後端部が挿入される切欠部２６が形成されたスライド可能なトリガー部材２５とを有している。
【００３４】
上記の引き戸錠２０においては、トリガー部材２５を戸当たり支柱１１に対する当接により錠ケース２１内に押込み、そのトリガー部材２５に形成された切欠部２６の閉塞端で鎌状ボルト２３の後端部を押圧して、支点軸２２を中心に鎌状ボルト２３を揺動させ、その鎌状ボルト２３の先端部に形成された鈎片２３ａをフロントプレート２１ａに形成された開口２７から戸当たり支柱１１に形成された係合孔２８内に進入させて、その係合孔２８の周縁部に係合させるようにしている。
【００３５】
また、錠ケース２１の対向する側板によって解錠プレート２９に設けられたボス部３０の両端部を回転自在に支持し、そのボス部３０を中心にして回転自在に設けられたロックレバー３１の先端部を鎌状ボルト２３の外周一部に形成された係合段部３２に係合させて、鎌状ボルト２３を係合状態でロックするようにしている。
【００３６】
ここで、鎌状ボルト２３は、支点軸２２に支持されたキックばねからなる弾性部材３３によって係合孔２８から係合解除する方向に向けて付勢されており、上記ロックレバー３１が係合段部３２に対して係合解除すると、弾性部材３３の弾性力によって鎌状ボルト２３が係合解除方向に揺動するようになっている。
【００３７】
また、ロックレバー３１は、ボス部３０に支持されたキックばねからなるロックばね３４によって鎌状ボルト２３に向けて付勢され、上記鎌状ボルト２３が係合孔２８の周縁部に係合すると、ロックレバー３１が係合段部３２に自動的に係合するようになっている。
【００３８】
さらに、解錠プレート２９のボス部３０の軸心上には角孔３５が形成され、その角孔３５に挿入された角軸３６を回転させると、解錠プレート２９が回転し、その解錠プレート２９に形成された加圧ピン３７がロックレバー３１の外周に形成された突片３８を押圧して、ロックレバー３１を係合段部３２から係合解除する方向に向けて揺動させるようになっている。
【００３９】
図５に示すグリッパ１５と図９に示す引き戸錠２０の相互間には、グリッパ１５の握り締めによる揺動に連動して引き戸錠２０を解錠させる解錠連動機構４０が設けられている。
【００４０】
解錠連動機構４０は、ハンドル１２ａ、１２ｂのそれぞれ下部にピン４１を設け、そのピン４１を中心にして揺動可能に支持されたＬ形のカム片４２の一端部をグリッパ１５の下端部に形成された連動孔４３内に挿入し、上記カム片４２の他端部を、図６に示すように、コントロールユニット４４のユニットケース４５内に昇降自在に組み込まれたスライド部材４６の係合孔４７内に挿入し、そのスライド部材４６の後端部に上下に貫通するロッド挿入孔５７を形成し、そのロッド挿入孔５７内に下端部がスライド自在に挿入された突き上げロッド４８の上端部を、図９に示すように、ロックレバー３１の揺動操作用の角軸３６に一端部が固定された解除レバー４９の他端部下面に対向させるようにしている。
【００４１】
また、突き上げロッド４８のユニットケース４５内に位置する下端部に、図６に示すように、スライド部材４６の上面後部に形成された低段面４６ａと上下で対向する抜止め突部５３を設け、上記スライド部材４６には、その前後面に貫通するガイド孔５８を形成し、そのガイド孔５８内にトリガー部材５１をスライド自在に挿入してユニットケース４５のフロントプレート４５ａに形成されたトリガー挿入孔５０に対して先端部を出没自在とし、スライド部材４６の内部空間内に組み込まれたばね５２によってトリガー部材５１を突出方向に向けて付勢している。
【００４２】
ここで、トリガー部材５１は、前部トリガー部材５１ａと後部トリガー部材５１ｂとに分割されており、その前部トリガー部材５１ａの後部には対向一対の側板５１ｃが形成され、その一対の側板５１ｃ間に後部トリガー部材５１ｂがスライド自在に組み込まれている。また、一対の側板５１ｃには横長孔９０が形成され、その横長孔９０内に後部トリガー部材５１ｂに設けられたピン９１がスライド自在に挿入されて、前部トリガー部材５１ａと後部トリガー部材５１ｂとは伸縮自在に連結され、その連結部間に組み込まれたトリガーばね９２によって前部トリガー部材５１ａと後部トリガー部材５１ｂとを伸長する方向に付勢されている。
【００４３】
上記トリガー部材５１は、スライド部材４６および突き上げロッド４８が下降してユニットケース４５の底板で支持される下降停止状態において、戸当り支柱１１に対する当接によりユニットケース４５内に押し込まれると、後部トリガー部材５１ｂの後部に設けられた回転可能なローラ９３が抜止め突部５３の下面と上下で対向して、その下面を支持するようになっており、また、トリガー挿入孔５０から先端部が突出する突出状態で、上記ローラ９３が抜止め突部５３の下面から退避する位置まで前進動するようになっている。
【００４４】
なお、解錠連動機構４０を構成するコントロールユニット４４のユニットケース４５は、図３および図４に示すように、引き戸４の戸先側端面に埋設される取付けとされ、そのユニットケース４５内には、図６に示すように、スライド部材４６を下向きに付勢する押しばね５４が組み込まれている。
【００４５】
上記の構成からなる解錠連動機構４０においては、グリッパ１５の握り締めによる揺動により、ピン４１を中心にカム片４２をグリッパ１５に対して相反する方向に揺動させ、そのカム片４２の他端部でスライド部材４６の係合孔４７の内周上面を上方に押圧してスライド部材４６を上昇させるようにしている。また、スライド部材４６と共に上昇するトリガー部材５１により抜止め突部５３を押し上げて突き上げロッド４８を上昇動させ、その突き上げロッド４８で解除レバー４９を係合解除方向に揺動させて角軸３６を回転させ、角軸３６と共に回転する解錠プレート２９の回転によりロックレバー３１を回転させて、係合段部３２に対する係合を解除させるようにしており、その係合解除によって、弾性部材３３の弾性により、鎌状ボルト２３が解錠方向に揺動するようになっている。図５に示すSは、グリッパ１５およびカム片４２の復帰回動用のキックばねを示す。
【００４６】
図１１および図１２に示すように、車輪軸９上には、その車輪軸９に制動力を付与する制動装置６０が設けられている。制動装置６０は、車輪軸９に固定されたブレーキロータ６１と、車輪軸９に嵌合されて、そのブレーキロータ６１に向けてスライド可能なパッドホルダ６２と、そのパッドホルダ６２のブレーキロータ６１に対する対向面に保持されたブレーキパッド６３と、上記パッドホルダ６２をブレーキロータ６１に向けて付勢するスプリング６４とからなり、上記ブレーキロータ６１に対するブレーキパッド６３の摩擦接触によって車輪軸９に制動力を付与するようにしている。
【００４７】
制動装置６０の上側には、その制動装置６０を制動状態と制動解除状態とに選択的に切り換える制動解除機構７０が設けられている。制動解除機構７０は、座板７の下面にコの字形のブラケット７１を固定し、そのブラケット７１によって移動自在に支持された回り止めピン７２の先端部をパッドホルダ６２の端面に形成された凹部７３に対して係脱自在とし、その回り止めピン７２をスプリング７４によりパッドホルダ６２に向けて付勢し、上記凹部７３に対する回り止めピン７２の先端部の係合によって制動装置６０を制動状態とし、係合解除によって制動装置６０を制動解除状態としている。
【００４８】
ここで、凹部７３は、図１３に示すように、パッドホルダ６２の端面周方向に間隔をおいて複数設けられている。
【００４９】
制動解除機構７０は、グリッパ１５との間に設けられた連動機構８０によって切換え操作されるようになっている。連動機構８０は、アウタチューブ８１内に挿通されたインナワイヤ８２の一端部を図６に示すスライド部材４６に形成されたワイヤ挿入孔８３内にスライド自在に挿入して、その上端に設けられた係合突部８４をワイヤ挿入孔８３の上側に形成された連結孔８５内に上昇動を可能とする遊びをもって嵌合し、上記インナワイヤ８２の他端部を図１２に示す回り止めピン７２に連結し、グリッパ１５を握り締めることによるスライド部材４６の上昇動によりインナーワイヤ８２を介して回り止めピン７２を後退動させて凹部７３に対する係合を解除させるようにしている。
【００５０】
実施の形態で示すスライド式門扉は上記の構造からなり、内側からの操作によって引き戸４を開放する場合は、内側ハンドル１２ｂとグリッパ１５を共に握り締めて内側ハンドル１２ｂを引き戸４が戸当たり支柱１１から離反する方向に引くようにする。
【００５１】
いま、内側ハンドル１２ｂと共にグリッパ１５を握り締めると、グリッパ１５がピン１６を中心に揺動し、その揺動に連動してカム片４２がグリッパ１５と相反する方向に揺動する。また、カム片４２の揺動により、そのカム片４２の他端部がスライド部材４６の係合孔４７の内周上面を上方に押圧するため、スライド部材４６およびそのスライド部材４６に支持されたトリガー部材５１が上昇する。
【００５２】
このとき、トリガー部材５１は、図６に示すように、戸当たり支柱１１により押し込められた状態にあって、その後端部が抜止め突部５３の下面に対向する状態にあるため、スライド部材４６と共に上昇動するトリガー部材５１により抜止め突部５３が押し上げられる。その押し上げにより、図７に示すように、突き上げロッド４８が上昇し、図９に示す解除レバー４９の他端部を押し上げる。その押し上げにより解除レバー４９が揺動する。
【００５３】
解除レバー４９の揺動により、角軸３６が回転し、その角軸３６と共に解錠プレート２９が図９の反時計方向に回転して、解錠プレート２９に設けられた加圧ピン３７がロックレバー３１に形成された突片３８を押圧する。その押圧により、ロックレバー３１が解錠プレート２９と同方向に回転して、鎌状ボルト２３に形成された係合段部３２に対する係合が解除する。
【００５４】
係合段部３２に対するロックレバー３１の係合解除により、弾性部材３３の弾性により、鎌状ボルト２３が解錠方向に揺動し、図１０に示すように、引き戸錠２０が解錠状態となる。
【００５５】
このように、ハンドル１２ｂと共にグリッパ１５を握り締めることによって、グリッパ１５が揺動し、解錠連動機構４０の作動により引き戸錠２０が解錠するため、グリッパ１５の握る状態で内側ハンドル１２ｂを引くことにより、引き戸錠２０の解錠操作と、引き戸４の開放操作の一連の操作を連続して行うことができ、引き戸４を簡単に開放させることができる。
【００５６】
ここで、引き戸４を開放すると、引き戸４の戸先側端部が戸当たり支柱１１から離反するため、図８に示すように、トリガー部材５１がばね５２の押圧により前進して後端部が抜止め突部５３の支持を解除する。その支持解除により、抜止め突部５３および突き上げロッド４８が自重で下降し、その突き上げロッド４８の上端が解除レバー４９から離反し、ロックレバー３１のロック方向への回動を可能とする。
【００５７】
このため、引き戸４を一旦開放させた後、閉鎖方向に移動させ、戸当たり支柱１１に対するトリガー部材２５の当接により、そのトリガー部材２５を錠ケース２１内に後退動させ、鎌状ボルト２３の他端部の押圧により、その鎌状ボルト２３を施錠方向に揺動させて、引き戸錠２０を施錠させると、ロックレバー３１はロックばね３４の押圧により係合方向に揺動して、係合段部３２に係合することになり、グリッパ１５を握る状態で引き戸錠２０を自動施錠することができる。
【００５８】
上記のような引き戸４の開放操作において、グリッパ１５を握り締め、カム片４２の揺動によりスライド部材４６を上昇させると、係合突部８４の下面と連結孔８５の底面の係合によりインナワイヤ８２が引かれ、そのインナワイヤ８２に連結された回り止めピン７２がパッドホルダ６２から離反する方向に移動し、凹部７３に対する回り止めピン７２の係合が解除する。その回り止めピン７２の係合解除によって制動装置６０は制動解除状態になり、比較的小さな操作力によって引き戸４を開放させることができる。
【００５９】
ここで、図８に示すように、スライド部材４６の上昇停止位置でトリガー部材５１が前進し、その後端部が抜止め突部５３の下面から退避して、突き上げロッド４８が下降する停止状態で、引き戸４が閉鎖方向に引かれると、トリガー部材５１の先端部が戸当たり支柱１１に当接して押し込まれ、後端部が抜止め突部５３に当接することになる。
【００６０】
このとき、トリガー部材５１は、前部トリガー部材５１ａと後部トリガー部材５１ｂを伸縮自在に連結し、その連結部間に前部トリガー部材５１ａと後部トリガー部材５１ｂを伸長する方向に付勢するトリガーばね９２を組込んだ構成とされているため、後部トリガー部材５１ｂは抜止め突部５３に当接して停止状態とされ、前部トリガー部材５１ａのみが押し込まれることになってトリガー部材５１が収縮する。このため、トリガー部材５１が抜止め部材５３に衝撃的に衝突するというようなことがなく、トリガー部材５１や抜止め突部５３、突き上げロッド４８等の各種の部品が損傷するというようなことはない。
【００６１】
引き戸４の開放後、グリッパ１５の握りを解除すると、図８に示す押しばね５４の押圧によりスライド部材４６が下降して、図６に示すように、ユニットケース４５の底板で支持される下降停止とされる。
【００６２】
この時、図１２に示すスプリング７４の復元弾性力により回り止めピン７２がパッドホルダ６２に向けて移動し、その回り止めピン７２が凹部７３に対向する状態にあると、その回り止めピン７２が凹部７３に係合してパッドホルダ６２を回り止めし、制動装置６０は制動状態とされる。
【００６３】
一方、回り止めピン７２と凹部７３とがパッドホルダ６２の周方向に位置がずれる状態にあると、回り止めピン７２はパッドホルダ６２の端面に当接して乗り上げ状態とされる。この時、インナワイヤ８２の一端部に設けられた係合突部８４と連結孔８５との間には、係合突部８４とスライド部材４６とが相対的に移動することができる遊びが設けられているため、その遊びによってスライド部材４６は下降停止位置まで下降することになる。その結果、回り止めピン７２の乗り上げによって引き戸錠２０が施錠および解錠することができなくなるという不都合の発生はなく、引き戸錠２０を確実に施、解錠させることができる。
【００６４】
なお、上記発明の実施形態では、出入口を横切るようにして敷設したレール３上を転動する車輪１０を下部に設けた引き戸について説明したが、レール、車輪等を有さない吊元柱に吊持した引き戸であっても構わない。即ち、引き戸４には、引き戸錠２０と解錠連動機構４０のみを設け、制動装置６０、制動解除機構７０および連動機構８０を省略したものであっても、本発明の要旨を逸脱するものではない。
【符号の説明】
【００６５】
２    出入口
３    レール
４    引き戸
９    車輪軸
１０  車輪
１２ａ  外側ハンドル
１２ｂ  内側ハンドル
１５  グリッパ
２０  引き戸錠
２１  錠ケース
２１ａ  フロントプレート
２３  鎌状ボルト
２３ａ  鈎片
２４  トリガー挿入孔
２５  ボルト操作用のトリガー部材
２８  係合孔
３１  ロックレバー
３２  係合段部
３４  ロックばね
４０  解錠連動機構
４２  カム片
４５  ユニットケース
４６  スライド部材
４８  突き上げロッド
４９  解除レバー
５０  トリガー挿入孔
５１  トリガー部材
５１ａ  前部トリガー部材
５１ｂ  後部トリガー部材
５２  ばね
６０  制動装置
６１  ブレーキロータ
６２  パッドホルダ
６３  ブレーキパッド
６４  スプリング
７０  制動解除機構
７２  回り止めピン
７３  凹部
８０  連動機構
８１  アウタチューブ
８２  インナワイヤ
９２  トリガーばね
【図１】
0005764019.tif 000002
【図２】
0005764019.tif 000003
【図３】
0005764019.tif 000004
【図４】
0005764019.tif 000005
【図５】
0005764019.tif 000006
【図６】
0005764019.tif 000007
【図７】
0005764019.tif 000008
【図８】
0005764019.tif 000009
【図９】
0005764019.tif 000010
【図１０】
0005764019.tif 000011
【図１１】
0005764019.tif 000012
【図１２】
0005764019.tif 000013
【図１３】
0005764019.tif 000014